(57)【要約】【課題】引出用スライドレールの取付レールに備えた前後の取付部を側板に取り付ける作業の作業性を高めることができる取付構造を提供する。【解決手段】収納家具の引出をスライド可能に支持するスライドレールＳを、筐体を構成する側板１３の内面に取り付ける、引出用スライドレールＳの取付構造であって、側板１３は、その前部及び後部の内面に、上下方向に長い前補強部材１及び後補強部材２を備え、スライドレールＳは、側板１３の内面に取り付ける取付レール３に、前取付部３Ａ及び後取付部３Ｂを備え、取付レール３の後取付部３Ｂは、後方へ突出する係止片６を備えるとともに、側板１３の後補強部材２は、その前面２Ｂに、係止片６に係合する係止孔７を備え、係止片６を係止孔７に差し込んで後補強部材２により後取付部３Ｂを支持した状態で、前取付部３Ａを前補強部材１の内面１Ａに螺着する。【選択図】図６
2017169631.tif 000002
【特許請求の範囲】
【請求項１】
収納家具の引出をスライド可能に支持するスライドレールを、筐体を構成する側板の内面に取り付ける、引出用スライドレールの取付構造であって、
前記側板は、その前部及び後部の内面に、上下方向に長い前補強部材及び後補強部材を備え、
前記スライドレールは、前記側板の内面に取り付ける取付レールに、前取付部及び後取付部を備え、
前記取付レールの後取付部は、後方へ突出する係止片を備えるとともに、前記側板の後補強部材は、その前面に、前記係止片に係合する係止孔を備え、
前記係止片を前記係止孔に差し込んで前記後補強部材により前記後取付部を支持した状態で、前記前取付部を前記前補強部材の内面に螺着することを特徴とする引出用スライドレールの取付構造。
【請求項２】
収納家具の引出をスライド可能に支持するスライドレールを、筐体を構成する側板の内面に取り付ける、引出用スライドレールの取付構造であって、
前記側板は、その前部及び後部の内面に、上下方向に長い前補強部材及び後補強部材を備え、
前記スライドレールは、前記側板の内面に取り付ける取付レールに、前取付部及び後取付部を備え、
前記取付レールの前取付部は、前方へ突出する係止片を備えるとともに、前記側板の前補強部材は、その後面に、前記係止片に係合する係止孔を備え、
前記係止片を前記係止孔に差し込んで前記前補強部材により前記前取付部を支持した状態で、前記後取付部を前記後補強部材の内面に螺着することを特徴とする引出用スライドレールの取付構造。
【請求項３】
前記後取付部又は前記前取付部は、前記係止片を上下方向に複数備えるとともに、前記後補強部材又は前記前補強部材は、前記係止片に係合する前記係止孔を上下方向に複数備える請求項１又は２記載の引出用スライドレールの取付構造。
【請求項４】
上下方向に複数備えた前記係止片の間の面を、前記後補強部材の前面又は前記前補強部材の後面に当接させる請求項３記載の引出用スライドレールの取付構造。
【請求項５】
前記係止片は、水平板状であり、前記係止孔に差し込む方向へ行くにしたがって左右方向の外方へ近づくように傾斜する傾斜面を備え、
前記係止孔は、左右方向の長孔であり、
前記後補強部材は、前記係止孔を備える前面から前方へ延びる段部を備え、又は、
前記前補強部材は、前記係止孔を備える後面から後方へ延びる段部を備え、
前記係止片を前記係止孔に差し込んだ状態では、前記係止片を備える前記後取付部又は前記前取付部が前記段部の内面に当接する請求項１〜４の何れか１項に記載の引出用スライドレールの取付構造。
【請求項６】
前記側板における前記前補強部材と前記後補強部材と前記取付レールの間に、緩衝材及び前記緩衝材よりも前記取付レール側に位置する内カバーを配置可能な空間を設けてなる請求項１〜５の何れか１項に記載の引出用スライドレールの取付構造。
【発明の詳細な説明】
【技術分野】
【０００１】
本発明は、収納家具の引出をスライド可能に支持するスライドレールを筐体の側板内面に取り付ける、引出用スライドレールの取付構造に関する。
【背景技術】
【０００２】
オフィス、工場、若しくは研究所、又は家庭等で使用される収納家具に引出を備える場合、引出のスムーズな開閉を行うために、筐体の側板に対して引出をスライド可能に支持するスライドレールが用いられる。
引出及び収容物の重量が大きい場合、耐荷重の大きいスライドレールを用いる必要があり、頑丈な金属レールを３本備えたもの（いわゆる３段引きレール）を使用することが多い（例えば、特許文献１参照）。
このようなスライドレールは、引出の奥側までを引き出すことができることから（例えば、特許文献１の図２参照）、側板のレール取付部にも大きなモーメント荷重が作用するので、スライドレールの強度及び剛性だけでなく、側板の内面にスライドレールを取り付ける取付構造が非常に重要である。
よって、前記側板の内面にスライドレールを取り付けて強固に固定するために、スライドレールの取付レールの前後を前記側板の内面にねじ止めすることが多い。例えば、特許文献１のスライドレールでは、取付レール５の前後に備えたフレーム６，６を本体側壁２０に当接させた状態で、前後のフレーム６，６を２箇所ずつ、計４箇所をねじ止めする取付構造を採用している（特許文献１の図２及び図３参照）。
【先行技術文献】
【特許文献】
【０００３】
【特許文献１】特開平１０−２１１０４５号公報
【発明の概要】
【発明が解決しようとする課題】
【０００４】
以上のような従来の引出用スライドレールの取付構造によれば、取付レールの前後の取付部をねじ止めにより側板や側壁に強固に固定できる反面、例えば耐荷重が大きく比較的重量の大きいスライドレールにおいて、その前後の取付部の両方をねじ止めする作業を行う必要がある。
よって、取付レールの前後の取付部を側板に取り付ける作業の作業性を高めるという観点で見ると、従来の引出用スライドレールの取付構造には改良の余地がある。
【０００５】
そこで、本発明が前述の状況に鑑み、解決しようとするところは、引出用スライドレールの取付レールに備えた前後の取付部を側板に取り付ける作業の作業性を高めることができる取付構造を提供する点にある。
【課題を解決するための手段】
【０００６】
本発明は、前述の課題解決のために、収納家具の引出をスライド可能に支持するスライドレールを、筐体を構成する側板の内面に取り付ける、引出用スライドレールの取付構造であって、
前記側板は、その前部及び後部の内面に、上下方向に長い前補強部材及び後補強部材を備え、
前記スライドレールは、前記側板の内面に取り付ける取付レールに、前取付部及び後取付部を備え、
前記取付レールの後取付部は、後方へ突出する係止片を備えるとともに、前記側板の後補強部材は、その前面に、前記係止片に係合する係止孔を備え、
前記係止片を前記係止孔に差し込んで前記後補強部材により前記後取付部を支持した状態で、前記前取付部を前記前補強部材の内面に螺着することを特徴とする（請求項１）。
【０００７】
また、本発明は、前述の課題解決のために、収納家具の引出をスライド可能に支持するスライドレールを、筐体を構成する側板の内面に取り付ける、引出用スライドレールの取付構造であって、
前記側板は、その前部及び後部の内面に、上下方向に長い前補強部材及び後補強部材を備え、
前記スライドレールは、前記側板の内面に取り付ける取付レールに、前取付部及び後取付部を備え、
前記取付レールの前取付部は、前方へ突出する係止片を備えるとともに、前記側板の前補強部材は、その後面に、前記係止片に係合する係止孔を備え、
前記係止片を前記係止孔に差し込んで前記前補強部材により前記前取付部を支持した状態で、前記後取付部を前記後補強部材の内面に螺着することを特徴とする（請求項２）。
【０００８】
これらのような引出用スライドレールの取付構造によれば、引出用スライドレールの取付レールに備えた前後の取付部を側板に取り付ける作業を行う際に、先ず、後取付部又は前取付部の係止片を後補強部材又は前補強部材の係止孔に差し込むので、前記係止片を前記係止孔に差し込んだ状態では、スライドレールの後取付部又は前取付部が後補強部材又は前補強部材により支持される。
したがって、次に行うスライドレールの前取付部又は後取付部の螺着作業が容易になるので、作業性が高くなる。
また、スライドレールを側板の内面に取り付ける取付ねじの本数が少なくなるので、作業時間を短縮できる。
【０００９】
ここで、前記後取付部又は前記前取付部は、前記係止片を上下方向に複数備えるとともに、前記後補強部材又は前記前補強部材は、前記係止片に係合する前記係止孔を上下方向に複数備えるのが好ましい（請求項３）。
このような構成によれば、後取付部又は前取付部の上下複数の係止片が、後補強部材又は前補強部材の上下複数の係止孔に係合することから、前後方向軸まわりの回転が規制されるので、スライドレールの前取付部又は後取付部の螺着作業がより容易になる。
【００１０】
また、上下方向に複数備えた前記係止片の間の面を、前記後補強部材の前面又は前記前補強部材の後面に当接させるのが一層好ましい（請求項４）。
このような構成によれば、後取付部又は前取付部が備える上下の係止片の間の面が、後補強部材の前面又は前補強部材の後面に当接することから、左右方向軸まわりの回転が規制されるので、スライドレールの前取付部又は後取付部の螺着作業がより一層容易になる。
その上、後取付部又は前取付部の上下の係止片の間の面と、後補強部材の前面又は前補強部材の後面とが当接するので、引出を引き出した際に大きくなるモーメント荷重を支持できる。
【００１１】
さらに、前記係止片は、水平板状であり、前記係止孔に差し込む方向へ行くにしたがって左右方向の外方へ近づくように傾斜する傾斜面を備え、
前記係止孔は、左右方向の長孔であり、
前記後補強部材は、前記係止孔を備える前面から前方へ延びる段部を備え、又は、
前記前補強部材は、前記係止孔を備える後面から後方へ延びる段部を備え、
前記係止片を前記係止孔に差し込んだ状態では、前記係止片を備える前記後取付部又は前記前取付部が前記段部の内面に当接するのがより一層好ましい（請求項５）。
【００１２】
このような構成によれば、係止片が水平板状であり、係止孔に差し込む方向へ行くにしたがって左右方向の外方へ近づくように傾斜する傾斜面を備えるとともに、係止孔が左右方向の長孔であるので、係止片の位置が左右方向の内方へ片寄っていたとしても、係止片を係止孔に差し込むにつれて係止片の位置が修正される。
その上、後補強部材は、係止孔を備える前面から前方へ延びる段部を備え、又は、前補強部材は、係止孔を備える後面から後方へ延びる段部を備え、係止片を係止孔に差し込んだ状態では、係止片を備える後取付部又は前取付部が前記段部の内面に当接するので、ガタツキなく強固に固定される。
【００１３】
前記側板における前記前補強部材と前記後補強部材と前記取付レールの間に、緩衝材及び前記緩衝材よりも前記取付レール側に位置する内カバーを配置可能な空間を設けてなるのがさらに一層好ましい（請求項６）。
このような構成によれば、前記空間にダンボールシート等の緩衝材を配置することにより、外部からの衝突音を軽減させることができる。
例えば、複数の収納家具を横方向に連結したレイアウトにする際等において、両端に位置する収納家具の両端側の側板にだけ緩衝材及び内カバーを配置する等、所要箇所にのみ緩衝材及び内カバーを配置することで、部品点数を抑えつつ、衝突音に配慮した収納家具を提供することができる。
その上、内カバーによりダンボールシート等の緩衝材を隠すことができるので、美観を損ねることがない。
【発明の効果】
【００１４】
以上のとおり、本発明に係る引出用スライドレールの取付構造によれば、筐体を構成する側板が、その前部及び後部の内面に、上下方向に長い前補強部材及び後補強部材を備えたものであり、スライドレールの取付レールに備えた前取付部及び後取付部の一方に係止片を備えるようにして前記補強部材の一方の係止孔に差し込み、前取付部及び後取付部の一方を前記補強部材の一方により支持した状態で、前取付部及び後取付部の他方を前記補強部材の他方に螺着するので、スライドレールを側板に取り付ける作業の作業性を高めることができる。
【図面の簡単な説明】
【００１５】
【図１】本発明の引出用スライドレールの取付構造を適用した収納家具の斜視図である。
【図２】同じく収納家具の縦断右側面図である。
【図３】同じく引出を全開した状態を示す縦断右側面図である。
【図４】左側板への内カバーの取付構造を示す分解斜視図である。
【図５】（ａ）は左側板の横断平面図、（ｂ）及び（ｃ）は同じく要部拡大横断平面図であり、（ｂ）はスライドレールの後取付部の係止片が後補強部材の係止孔に係合する前の状態、（ｃ）は前記係止片が前記係止孔に係合した状態を示している。
【図６】左側板への引出用スライドレールの取付構造を示す分解斜視図である。
【図７】同じく後取付部及び後補強部材の要部拡大分解斜視図である。
【図８】スライドレールの構成例を示す斜視図である。
【図９】スライドレールの別の構成例を示す斜視図である。
【図１０】スライドレールの前取付部に係止片を備えて側板の前補強部材に備えた係止孔に係合させる構造の例を示す要部拡大横断平面図であり、（ａ）はスライドレールの前取付部の係止片が前補強部材の係止孔に係合する前の状態、（ｂ）は前記係止片が前記係止孔に係合した状態を示している。
【発明を実施するための形態】
【００１６】
次に、添付図面に示した実施形態に基づき、本発明を更に詳細に説明する。
本明細書においては、本発明の引出用スライドレールの取付構造を適用した収納家具の一例を示す図１〜図３の収納家具Ａにおいて、収納家具Ａをその引出Ｂ及び扉Ｃに向かって見た図を正面図とし、その手前側（正面側）を前、奥側（背面側）を後とする。また、後方に向かって左右を定義する。さらに、各構成部品の方向の定義は、収納家具Ａに組み付けられた状態を基準として前記方向の定義に従うものとする。
【００１７】
図１の斜視図、並びに図２及び図３の縦断右側面図に示すように、収納家具Ａは、底板１１、天板１２、左側板１３、右側板１４、及び背板１５で正面視四角形の前面開放した筐体１０を構成し、さらに底板１１の下にベース１６を取り付けて巾木部、若しくは蹴込み部を形成する。
そして、収納家具Ａは、スライドレールＳにより支持される引出Ｂを最上段に備え、筐体１０の内部に棚板１７を取り付けるとともに、前面開口部には扉Ｃ，Ｃを取り付けている。
スライドレールＳは、筐体１０を構成する側板１３，１４に取り付ける取付レール３、引出Ｂに取り付ける引出レール４、及び取付レール３と引出レール４の間に介在する中間レール５である、３本の金属レールを備えた、いわゆる３段引きレールである。
引出Ｂは、スライドレールＳにより支持されながら、図２の全閉状態から図３の全開状態まで引き出すことができる。
【００１８】
左側板１３及び右側板１４は板金であり、それらの前部及び後部の内面に、板金である上下方向に長い前補強部材１及び後補強部材２を溶着してなる補強構造を有する。
また、左側板１３及び右側板１４には、前補強部材１と後補強部材２と取付レール３の間に空間があるので、前補強部材１及び後補強部材２の間に、内カバー１８を取り付けることができる。
例えば、左側板１３への内カバー１８の取付構造を示す図４の分解斜視図において、左側板１３の前補強部材１と後補強部材２との間に、緩衝材であるダンボールシートＤを接着した後、内カバー１８の後端縁から後方へ突出する係止片１８Ａを後補強部材２のスリット１９に差し込み、前端部の通孔１８Ｂを利用してタッピンねじ２０により前補強部材１に固定する。
内カバー１８によりダンボールシートＤを隠すことができるので、扉Ｃを開いた際にダンボールシートＤは視認されない。
なお、左側板１３及び右側板１４の前補強部材１と後補強部材２との間に、ダンボールシートＤに替えて、ペーパーハニカムやスポンジ材等の緩衝材を収容するようにしてもよい。
【００１９】
前補強部材１と後補強部材２で強度的には十分であるが、前補強部材１及び後補強部材２の間にダンボールシートＤ等の緩衝材及び内カバー１８を取り付けることで、外部からの衝突音を軽減させることができる。
例えば、複数の収納家具を横方向に連結したレイアウトにする際等において、両端に位置する収納家具の両端側の側板にだけダンボールシートＤ等の緩衝材及び内カバー１８を配置する等、所要箇所にのみダンボールシートＤ等の緩衝材及び内カバー１８を配置することで、部品点数を抑えつつ、衝突音に配慮した収納家具を提供することができる。
その上、内カバー１８によりダンボールシートＤ等の緩衝材を隠すことができるので、美観を損ねることがない。
【００２０】
次に、本発明の引出用スライドレールの取付構造の詳細について説明する。
左側板１３側と右側板１４側とは、収納家具Ａの左右方向中央の平面（前後方向及び上下方向に沿う平面）を対称面として面対称であり、右側板１４に取り付けるスライドレールの構造及び取付構造は、左側板１３に取り付けるスライドレールの構造及び取付構造と同様であるので、左側板１３側を代表させ、左側板１３側についてのみ説明する。
【００２１】
図５の横断平面図、図５（ｂ）及び図５（ｃ）の要部拡大横断平面図、並びに図６の分解斜視図及び図７の要部拡大分解斜視図に示すように、スライドレールＳは、左側板１３の内面に取り付ける取付レール３に、前取付部３Ａ及び後取付部３Ｂを備え、後取付部３Ｂは、後方へ突出する係止片６を上下に備える。
なお、後取付部３Ｂに、上下方向に３個以上の係止片６を備えるようにしてもよい。また、係止片６を上下複数備えるのが好ましい実施態様であるが、係止片６を１個にしてもよい。
また、左側板１３の後補強部材２は、その前面２Ｂに、スライドレールＳの後取付部３Ｂに備えた上下の係止片６に係合する上下の係止孔７を備える。なお、後取付部３Ｂが３個以上の係止片６を備える場合、それらと同数の係止孔７を後補強部材２に備えるようにする。
なお、必ずしも係止片６と係止孔７の数を合わせる必要はない。所要数備えた係止片６が係合するように係止孔を備えればよいので、例えば、上下に長い１個の係止孔に複数の係止片を係合させるようにしてもよい。
【００２２】
よって、図５（ｂ）並びに図６及び図７の矢印のように、後方に突出する係止片６を係合孔７に前方から差し込むことにより、係止片６の当止部６Ｂが後補強部材２の前面２Ｂに当て止めされた図５（ｃ）の状態で位置決めされ、この状態では、取付レール３の後取付部３Ｂが後補強部材２により支持される。
この状態で、図６の矢印に示すように、前取付部３Ａの通孔３ａ、及び前補強部材１の内面１Ａの通孔１ａにタッピンねじ２１を通して螺着する。
以上でスライドレールＳを左側板１３に取り付ける作業が完了し、前補強部材１の内面１Ａに前取付部３Ａが固定された状態では、後取付部３Ｂに備えた後方に突出する係止片６が後補強部材２の前面２Ｂに備えた係止孔７から抜け出ることはなく、スライドレールＳの取付レール３が左側板１３の前補強部材１及び後補強部材２に強固に固定された状態が維持される。
【００２３】
このような引出用スライドレールＳの取付構造によれば、スライドレールＳの後取付部３Ｂが後補強部材２により支持された状態で前取付部３Ａを螺着する作業を行うので、前取付部３Ａを螺着する作業の作業性が高くなる。また、取付ねじ（例えば、タッピンねじ２１）の本数が２本であり、従来の取付構造（例えば、特許文献１では４本の取付ねじを使用している）よりもねじ止め箇所が少ないので、作業時間を短縮できる。
その上、後取付部３Ｂの上下複数の係止片６が、後補強部材２の上下複数の係止孔７に係合することから、前後方向軸まわりの回転が規制されるので、スライドレールＳの前取付部３Ａの螺着作業がより容易になる。
その上さらに、後取付部３Ｂが備える上下の係止片６，６の間の面である当止面６Ｂが、図３に示すように後補強部材２の前面２Ｂに当接することから、左右方向軸まわりの回転が規制されるので、スライドレールＳの前取付部３Ａの螺着作業がより一層容易になる。
その上、後取付部３Ｂの当止面６Ｂと後補強部材２の前面２Ｂとが当接するので、図３のように引出Ｂを引き出した際に大きくなるモーメント荷重を支持できる。
【００２４】
図７に示すように、後取付部３Ｂの係止片６は水平板状であり、図５（ｂ）に示すように、係止片６は、係止孔７に差し込む方向へ行くにしたがって左右方向の外方へ近づくように傾斜する傾斜面６Ａを備える。
また、図７に示すように、後補強部材２の係止孔７は、左右方向の長孔である。
よって、図５（ａ）から図５（ｂ）のように係止片６を係止孔７に差し込む際に、係止片６の位置が左右方向の内方へ片寄っていたとしても、係止片６を係止孔７に差し込むにつれて係止片６の位置が修正される。
そして、図５（ｂ）及び図５（ｃ）並びに図７に示すように、後補強部材２は、係止孔７を備える前面２Ｂから前方へ延びる段部２Ｃを備え、図５（ｃ）に示すように、係止片６を係止孔７に差し込んだ状態（当止部６Ｂが後補強部材２の前面２Ｂに当て止めされた状態）では、係止片６を備える後取付部３Ｂが段部２Ｃの内面８に当接するので、ガタツキなく強固に固定される。
【００２５】
スライドレールＳの後取付部３Ｂは、図８の斜視図に示すように、係止片６を備えた別体の係止部材９を、通孔３ｂ及び通孔９ａを利用してタッピンねじ２２で固定するものであってもよいし、図９の斜視図に示すように、係止片６を一体に備えたものであってもよい。
また、スライドレールＳは、３段引きレールではなく２段引きレールであってもよい。
【００２６】
以上の説明においては、スライドレールＳの取付レール３の後取付部３Ｂに、後方へ突出する係止片６を備えるとともに、側板１３，１４の後補強部材２の前面２Ｂに、係止片６に係合する係止孔７を備える構成を示した。
本発明は、前記構成に限定されるものではなく、図１０の要部拡大横断平面図に示すように、スライドレールＳの取付レール３の前取付部３Ａに、前方へ突出する係止片６を備えるとともに、側板１３，１４の前補強部材１の後前面２Ｂに、係止片６に係合する係止孔７を備えてもよい。
ここで、前取付部３Ａの係止片６は水平板状であり、図１０（ａ）に示すように、係止片６は、係止孔７に差し込む方向へ行くにしたがって左右方向の外方へ近づくように傾斜する傾斜面６Ａを備える。
【００２７】
図１０のように構成した場合は、図１０（ａ）から図１０（ｂ）のように係止片６を係止孔７に後方から差し込んで前補強部材１により前取付部３Ａを支持した状態で、後取付部３Ｂを後補強部材２の内面２Ａ（図６及び図７参照）に螺着するように構成する。
前補強部材１は、係止孔７を備える後面１Ｂから後方へ延びる段部１Ｃを備え、図１０（ｂ）のように係止片６を係止孔７に差し込んだ状態（当止部６Ｂが前補強部材１の後面１Ｂに当て止めされた状態）では、係止片６を備える前取付部３Ａが段部１Ｃの内面８に当接する。
【符号の説明】
【００２８】
Ａ  収納家具                            Ｂ  引出
Ｃ  扉                                  Ｄ  ダンボールシート（緩衝材）
Ｓ  スライドレール
１  前補強部材                          １Ａ  内面
１Ｂ  後面                              １Ｃ  段部
１ａ  通孔                              ２  後補強部材
２Ａ  内面                              ２Ｂ  前面
２Ｃ  段部                              ３  取付レール
３Ａ  前取付部                          ３ａ  通孔
３Ｂ  後取付部                          ４  引出レール
５  中間レール                          ６  係止片
６Ａ  傾斜面                            ６Ｂ  当止部
７  係止孔                              ８  段部の内面
９  係止部材                            ９ａ  通孔
１０  筐体                              １１  底板
１２  天板                              １３  左側板
１４  右側板                            １５  背板
１６  ベース                            １７  棚板
１８  内カバー                          １８Ａ  係止片
１８Ｂ  通孔                            １９  スリット
２０，２１，２２  タッピンねじ
【図１】
2017169631.tif 000003
【図２】
2017169631.tif 000004
【図３】
2017169631.tif 000005
【図４】
2017169631.tif 000006
【図５】
2017169631.tif 000007
【図６】
2017169631.tif 000008
【図７】
2017169631.tif 000009
【図８】
2017169631.tif 000010
【図９】
2017169631.tif 000011
【図１０】
2017169631.tif 000012